(57)【要約】【課題】アルバム作成に必要な数の画像を既存の静止画を利用して補い、手持ちの少ない静止画を有効活用して見栄えのよいアルバムを作成する。【解決手段】フォトアルバムのテンプレートが必要とする総画像数（合成枠の総数）から選別画像の総数を減算することで得た値Ｎを、画像の不足分を補うのに必要な画像の最低数である不足画像数最低数とする。選別画像の中から、不足画像を補う画像の作成元として適当な画像（作成元画像）を選別する。選別した作成元画像に所定の画像処理を施すことで、不足画像数最低数Ｎに足りるまで、新たな画像を生成する。【選択図】図２
2012084184.tif 000002
【特許請求の範囲】
【請求項１】
動画と、前記動画からキャプチャされた静止画である代表画像を取得する手段と、
画像を配置したアルバムの作成に最低限必要な画像数を判別する手段と、
前記取得した動画に所定の画像処理を施すことにより、前記代表画像と同一シーンの静止画を少なくとも前記アルバムの作成に最低限必要な画像数分だけ作成する手段と、
前記作成された前記代表画像と同一シーンの静止画のうち少なくとも１つに基づいてアルバムを作成する手段と、
を含むアルバム作成装置。
【請求項２】
前記所定の画像処理は、被写体領域のトリミング、背景の合成、表情を示すグラフィックの合成、擬似的３次元化による視点の変更またはモーフィングを含む請求項１に記載のアルバム作成装置 。
【請求項３】
フォトアルバム作成装置が、
動画と、前記動画からキャプチャされた静止画である代表画像を取得するステップと、
画像を配置したアルバムの作成に最低限必要な画像数を判別するステップと、
前記取得した動画に所定の画像処理を施すことにより、前記代表画像と同一シーンの静止画を少なくとも前記アルバムの作成に最低限必要な画像数分だけ作成するステップと、
前記作成された前記代表画像と同一シーンの静止画のうち少なくとも１つに基づいてアルバムを作成するステップと、
を実行するアルバム作成方法。
【請求項４】
前記所定の画像処理は、被写体領域のトリミング、背景の合成、表情を示すグラフィックの合成、擬似的３次元化による視点の変更またはモーフィングを含む請求項３に記載のアルバム作成方法。
【請求項５】
請求項１または２のアルバム作成装置としてコンピュータを機能させるためのプログラム。
【発明の詳細な説明】
【技術分野】
【０００１】
本発明は、画像を所定数だけ配置したアルバムの作成に関し、特に、アルバムに配置する画像数の調整に関する。
【背景技術】
【０００２】
電子的に画像を配置してアルバムを作成する従来技術としては、特許文献１および特許文献２がある。特許文献１では、ページ総数と画像枚数に基づいてページごとの画像枚数を取得し、画像を各ページに振り分ける。ここで、アルバムに配置する総画像数は所定の範囲内である。
【０００３】
特許文献２では、ユーザ画像を解析し、トリミング領域の候補を複数表示させ、そのうち１つを選択し、トリミング処理を実行する。
【０００４】
一方、動画から静止画を作成する従来技術としては、特許文献３が挙げられる。特許文献３では、動画から静止画を作成し、かつ静止画の類似度に応じて静止画をグルーピングする。
【先行技術文献】
【特許文献】
【０００５】
【特許文献１】特開２００６−７４５９０号公報
【特許文献２】特開２００６−２７９６４３号公報
【特許文献３】特開２００３−９０６９号公報
【発明の概要】
【発明が解決しようとする課題】
【０００６】
アルバム全体として見栄えのよいものを作成するには、ある一定枚数以上の画像が必要であるが、ユーザの手持ち画像が少ない場合は困難が伴う。この点、特許文献１では、既存の画像を各ページに振り分けるだけであり、また特許文献２では１つの画像からは１つのトリミング画像しか得られず、画像が不足した際の対策について何ら考慮がされていない。
【０００７】
また、ユーザが予備の静止画像をもっておらず、動画しかもっていない場合は、どのようにすればアルバムに適した画像を不足分だけ得ることができるか、選別に困る。
【０００８】
本発明の目的は、アルバム作成に必要な数の画像を既存の静止画を利用して補い、手持ちの少ない静止画を有効活用して見栄えのよいアルバムを作成することにある。
【０００９】
また、本発明の他の目的は、アルバム作成可能に必要な数の画像を既存の動画を利用して補い、動画を有効活用して見栄えのよいアルバムを作成することにある。
【課題を解決するための手段】
【００１０】
本発明に係るアルバム作成方法は、オリジナル画像を取得するステップと、配置したアルバムの作成に必要な画像数と取得したオリジナル画像の数とを比較することで、不足画像数を判別するステップと、取得した画像に所定の画像処理を施すことにより、少なくとも不足画像数分の補完画像を作成するステップと、前記オリジナル画像および前記補完画像のうち少なくとも１つに基づいてアルバムを作成するステップと、を含む。
【００１１】
所定の画像処理は、被写体領域のトリミング、背景の合成、表情を示すグラフィックの合成、擬似的３次元化による視点の変更またはモーフィングを含む。
【００１２】
オリジナル画像のうち所定の条件を満たす画像を選別することで選別画像を得るステップと、選別画像に所定の画像処理を施すことにより、少なくとも不足画像数分の補完画像を作成するステップと、前記オリジナル画像、前記補完画像および前記選別画像のうち少なくとも１つに基づいて前記アルバムを作成するステップと、を含む。
【００１３】
本発明に係るアルバム作成方法は、動画と、動画からキャプチャされた静止画である代表画像を取得するステップと、所定のテンプレートに画像を配置したアルバムの作成に最低限必要な画像数を判別するステップと、取得した動画に所定の画像処理を施すことにより、代表画像と同一シーンの静止画を少なくともアルバムの作成に最低限必要な画像数分だけ作成するステップと、作成された代表画像と同一シーンの静止画のうち少なくとも１つに基づいてアルバムを作成するステップと、を含む。
【００１４】
上記のアルバム作成方法をコンピュータに実行させるプログラムも本発明に含まれる。
【００１５】
本発明に係るアルバム作成装置は、オリジナル画像を取得する手段と、画像を配置したアルバムの作成に必要な画像数と取得したオリジナル画像の数とを比較することで、不足画像数を判別する手段と、取得した画像に所定の画像処理を施すことにより、少なくとも不足画像数分の補完画像を作成する手段と、前記オリジナル画像および前記補完画像のうち少なくとも１つに基づいてアルバムを作成する手段と、を含む。
【００１６】
本発明に係るアルバム作成装置は、動画と、動画からキャプチャされた静止画である代表画像を取得する手段と、所定のテンプレートに画像を配置したアルバムの作成に最低限必要な画像数を判別する手段と、取得した動画に所定の画像処理を施すことにより、代表画像と同一シーンの静止画を少なくともアルバムの作成に最低限必要な画像数分だけ作成する手段と、作成された代表画像と同一シーンの静止画のうち少なくとも１つに基づいてアルバムを作成する手段と、を含む。
【発明の効果】
【００１７】
本発明によると、既存の画像に所定の画像処理を施して画像の不足を補うことができる。特に、画像中の被写体に注目したトリミング画像、画像の被写体に応じたイラストを合成したり、擬似３次元を作成して異なる視点から見た画像、モーフィングにより物体の変化する状態を示す中間画像、ある代表画像と同一シーンの画像を動画からキャプチャした画像を用いて、画像の不足を補えば、見栄えのよいアルバムを作成することができる。
【図面の簡単な説明】
【００１８】
【図１】画像編集装置の構成図
【図２】テンプレートの一例を示す図
【図３】フォトアルバム作成処理のフローチャート
【図４】複数の被写体が存在する選別画像の一例を示す図
【図５】複数の被写体を個別に包含するトリミング領域の一例を示す図
【図６】トリミング画像の一例を示す図
【図７】トリミング画像がテンプレートに配置された様子を例示した図
【図８】人物被写体を含まない選別画像の一例を示す図
【図９】イラストが合成された選別画像の一例を示す図
【図１０】イラストが合成された選別画像の一例を示す図
【図１１】人物被写体を含む選別画像の他の一例を示す図
【図１２】人物被写体の表情に関係するイラストが合成された選別画像の一例を示す図
【図１３】人物被写体の表情に関係するイラストが合成されかつ表情の変化を生じる画像処理が施された選別画像の一例を示す図
【図１４】イラストが合成された選別画像がテンプレートに配置された様子を例示した図
【図１５】擬似的３次元処理を模式化した図
【図１６】異なる視点から眺めた擬似的３次元画像がそれぞれテンプレートに配置された様子を例示した図
【図１７】モーフィングを模式化した図
【図１８】モーフィングされた画像がテンプレートに配置された様子を例示した図
【図１９】代表画像の一例を示す図
【図２０】代表画像を中心に動画からキャプチャされた同一シーンの画像を例示した図
【図２１】同一シーンのキャプチャ画像がテンプレートに配置された様子を例示した図
【図２２】同一シーンのキャプチャ画像が異なるページに連続的に配置された様子を例示した図
【発明を実施するための形態】
【００１９】
図１は、本発明を適用したフォトアルバム作成装置１０の概略構成を示すブロック図である。フォトアルバム作成装置１０は、例えば、ＣＤやＤＶＤなどの各種の記録メディア４０やメモリカード４２などに格納された動画データや静止画像データ（動画をキャプチャした静止画も含む）を読み込み、これを素材としてフォトアルバム（表示装置に画像を所定のレイアウトとデザインで表示させるデータまたは所定のレイアウトとデザインで画像が印刷された紙などの印刷媒体）を作成する。このフォトアルバム作成装置１０は、マウス、タッチパッド、トラッグボールなどのポインタ（カーソル）の移動を指示可能なポインティングデバイスやキーボードやタッチパネルなどの各種操作デバイスを含む操作部２６によって操作される。
【００２０】
フォトアルバム作成装置１０は、フォトアルバム作成装置１０全体を制御するＣＰＵ１２と、記録メディア４０にデータを読み書きするドライブ１１と、メモリカード４２にデータを読み書きするカードスロット１６と、フォトアルバム作成装置１０を制御するプログラムや動画・静止画などが記憶されるハードディスクドライブ（記憶媒体）１８（以下、ＨＤＤ１８と称す）と、ＣＰＵ１２が種々の処理を行う際に作業用メモリとして機能するＲＡＭ２０と、ＲＡＭ２０などに格納された画像の一覧や後述のテンプレート画像を含むウィンドウその他画像編集に関係する各種のグラフィカルユーザインターフェース、操作部２６からの移動方向および移動速度の指示を含む入力操作に従って上記ウィンドウ上を移動するポインタの映像信号をディスプレイ５０に出力して表示させるビデオエンコーダ２２と、インターネットその他のネットワークに接続するための通信Ｉ／Ｆ２８と、それぞれ専門の処理を受け持つデータ記録部（操作履歴記録手段）３０、とから構成されている。また、これらの各部は、バス３６を介してそれぞれ接続されており、ＣＰＵ１２は、ＨＤＤ１８に記憶されたオペレーションプログラムに従って、装置の各部を統括的に制御する。
【００２１】
また、フォトアルバム作成装置１０には、プリンタドライバ３８を介して、指示された静止画像を普通紙や印画紙などにプリントするプリンタ４４が接続されている。
【００２２】
カードスロット１６は、例えば、コンパクトフラッシュ（登録商標）やＳＤカード、及びスマートメディアなどのメモリカード４２を着脱自在に保持し、これらに記録された静止画像データなどの読み込み、もしくは書き込みを行う。これにより、デジタルスチルカメラなどで撮像された静止画像データを読み込むことができる。なお、マルチドライブ１１やカードスロット１６の他に、例えば、ＵＳＢやＩＥＥＥ１３９４などの通信ポートを設けて、デジタルスチルカメラやＰＤＡなどの電子機器と有線で直接通信できるようにしてもよい。
【００２３】
ＨＤＤ１８には、フォトアルバムの素材となる１または複数の静止画像データの他に、フォトアルバムの生成の際にこれらの静止画像データと合成される装飾画像データなどが記憶されている。装飾画像には、対象となる画像の不要な部分を覆うマスク画像や、対象となる画像の嵌め込み枠が規定され、イラストなどの装飾が施されたテンプレート画像（図２参照）などがある。こうした装飾画像は、素材となる静止画像の背景を飾ったり、ワンポイントの装飾を加えるなど、フォトアルバムに彩を与える。
【００２４】
テンプレートには、選別された静止画像データをはめ込む合成枠Ｘ１、Ｘ２、・・が所定の数だけ設けられており、任意の配列順に従って、順次テンプレートの合成枠に選別画像が配置される。その全ての合成枠に画像が配置されることをもって、フォトアルバムが完成するものとし、合成枠のブランク発生は許容せず、何らかの画像が配置されるものとする。
【００２５】
また、各静止画像データは、ＪＰＥＧやＴＩＦＦ、及びデジタルスチルカメラ用に規格化されたＥＸＩＦなどの画像ファイルの形式でＨＤＤ１８に記憶されている。これらの画像ファイルには、静止画像データを格納するデータ領域と、そのデータの内容などを示すメタデータを格納するタグ領域とが用意されている。以下、静止画像データを単に「画像」と称す。
【００２６】
動画データは、モーションＪＰＥＧ、ＭＰＥＧ４などの圧縮記録規格に対応している。
【００２７】
通信Ｉ／Ｆ２８は、フォトアルバム作成装置１０をインターネットに接続して、インターネット上のホームページをディスプレイ５０に表示させたり、電子メール（以下、メールと称す）を介した画像データの送受信を行う。この通信Ｉ／Ｆ２８は、ブロードバンド対応のモデムなどである。通信Ｉ／Ｆ２８は、光通信ネットワークやケーブルネットワークなどを介してインターネットに接続するものでもよい。なお、フォトアルバム生成部３４の生成したフォトアルバムをインターネット経由で特定の端末に配信することもできる。
【００２８】
データ記録部３０、フォトアルバム生成部３４は、いわゆるコプロセッサであって、それぞれ専門の処理を受け持ってＣＰＵ１２の処理動作を補助する。
【００２９】
フォトアルバム作成装置１０が店頭プリント端末の場合、フォトアルバム生成部３４が作成したフォトアルバムは、ディスプレイ５０に出力されプレビュー表示されたものであるが、内容が確定すればユーザ指示に応じてプリンタ４４により印刷媒体に出力するか、またはＤＶＤなど当該フォトアルバムを映像データとして記録可能な記録メディア４０に転写できる。また、フォトアルバム作成装置１０が、インターネット経由で外部から接続してきた端末からフォトアルバム注文を受け付ける場合は、フォトアルバムのプレビューをディスプレイ５０でなく当該端末で表示可能なＷｅｂページなどに変換して当該端末に送信してもよい。あるいは、記録媒体や印刷媒体に出力することを前提とせず、携帯電話やデジカメなどの各種電子機器のフォトアルバム表示機能の一つとしてこの完成フォトアルバムを表示してもよい。
【００３０】
なお、図１のシステム構成は一例であって、これと同等の構成を有する他の電子機器（例えば携帯電話やＰＤＡ）であれば、本発明の実施は可能である。
【００３１】
以下、図３のフローチャートに従い、フォトアルバム作成処理の流れを説明する。この処理はフォトアルバム生成部３４（またはＣＰＵ１２）が実行する。この処理をフォトアルバム生成部３４に実行させるプログラムはＨＤＤ１８やＲＡＭ２０などのコンピュータ読み取り可能な記録媒体に記録されている。このようなプログラムをインターネット経由で外部から取り込めるようにしてもよい。
【００３２】
Ｓ１では、フォトアルバムに配置する画像を、記録メディア４０、メモリカード４２あるいはインターネット経由で外部から通信Ｉ／Ｆ２８に接続してきた端末などから読み込み、ＨＤＤ１８に格納する。画像とは、ＪＰＥＧなどの静止画ファイルの他、動画ファイルのキャプチャ画像も含む。
【００３３】
Ｓ２では、ＨＤＤ１８に格納したオリジナル画像のうち、フォトアルバムの作成に適した条件を有する画像を選別する。例えば、オリジナル画像から、所定の条件（画素数が８０万画素以上、手振れやピンボケの発生していないもの、逆光でないものなど）を満たす画像を判別し、当該条件に合致する画像を格納画像から選別し、オリジナル画像と区別された選別画像としてＨＤＤ１８に別途格納する。所定の条件はユーザが操作部２６から任意に指定できてもよい。また、このＳ２の処理自体を実施する／しないをユーザが操作部２６から任意に指定できてもよい。なお、ピンボケや手振れ発生の判別は、公知の手法で実施可能である（例えば、特開２００５−３３２３８２号公報参照）。
【００３４】
Ｓ３では、フォトアルバムの作成に必要な最低画像数（合成枠の総数）と上記選別画像の総数を比較し、アルバム作成に必要な最低画像数の選別画像が確保されているか否かを判断する。確保されている場合はＳ７に、確保されていない場合はＳ４に進む。
【００３５】
Ｓ４では、フォトアルバムのテンプレートが必要とする総画像数（合成枠の総数）から上記選別画像の総数を減算することで得た値Ｎを、画像の不足分を補うのに必要な画像の最低数である不足画像数最低数とする。
【００３６】
Ｓ５では、選別画像の中から、不足画像を補う画像の作成元として適当な画像（作成元画像）を選別する。例えば、被写体が複数ある画像や、画質がよい画像（例えば赤目が発生していない画像）などを選ぶ。この処理は後で詳細に説明する。なお、画質を選別条件とする場合、Ｓ２より緩やかな条件、厳密な条件、あるいはＳ２とは無関係の条件とすることができる。この条件はユーザが任意に指定できてもよい。
【００３７】
Ｓ６では、Ｓ５で選別した作成元画像に所定の画像処理を施すことで、不足画像数最低数Ｎに足りるまで、新たな画像を生成する。この処理は後で詳細に説明する。
【００３８】
Ｓ７では、Ｓ６で生成した画像と元の選別画像を、テンプレートの合成枠に所望の順序で配置し、両者を合成する。なお、Ｓ６で生成した画像だけで不足画像数最低数Ｎに足りていれば、元の選別画像を配置しなくてもよい。画像の配置は撮影日時順のように自動的にされてもよいし、操作部２６からの指示に応じてもよい。
【００３９】
なお、Ｓ６で生成する画像は、不足画像数最低数Ｎにぴったり同じではなくてもよく、これよりも多くてよい。この場合、Ｓ７では、元の選別画像（Ｓ２が実施されない場合は、Ｓ１で取得した画像）および生成した画像のうちどの画像をアルバムに配置するかを、操作部２６への操作を介して選択できてもよい。画像が余分に生成されていれば、その中のどれを使うかはユーザの自由であり、全部使っても一部だけ使ってもよい。さらに元の選別画像（Ｓ２が実施されない場合は、Ｓ１で取得した画像）を全く使わず、生成画像だけでアルバムを作成することも可能である。要するに、Ｓ６で生成した画像の全てを漏れなくアルバムに配置する必要性はなく、ユーザが気に入ったものを選んでアルバムに配置できるという選択の余地を与えることが好ましい。
【００４０】
以下、Ｓ４およびＳ５の処理の詳細を説明する。この処理には、各種の態様が採用されうる。
【００４１】
まず、１つ目の態様としては、Ｓ４で複数の被写体が写っている画像を選別し、Ｓ５で各被写体を包含する領域をトリミング領域に設定し、設定されたトリミング領域に従って画像を切り出し、各被写体に対応する複数のトリミング画像を得る。
【００４２】
例えば、図４に示すような選別画像Ｉ１からは、花Ｘ１、蝶Ｘ２、人物Ｘ３という３つの被写体が認識される。被写体の認識の手法については周知のものが使用でき、例えばＨＤＤ１８にサンプル被写体の画像特徴量を格納しておき、それと選別画像の特徴量とのパターンマッチングによって特定の被写体の存在を認識する。この認識された被写体が複数であれば、当該選別画像は、作成元画像として選別される。
【００４３】
次に、作成元画像から認識された被写体の各々をそれぞれ別個に包含する複数のトリミング領域を当該作成元画像に設定する。図５では、作成元画像Ｉ１の花Ｘ１、蝶Ｘ２、人物Ｘ３を個別に包含する３つのトリミング領域Ｌ１、Ｌ２、Ｌ３が設定されている。なお、トリミング領域の形状は矩形、円形など特に限定されないが、はめ込む合成枠の形状と適合するようにしてもよい。また、ユーザが操作部２６を介してトリミング領域を自由に指定・変更できてもよい。また、作成画像は、１つに限る必要はなく、多ければ多いほどよい。
【００４４】
図６に示すように、３つのトリミング領域Ｌ１、Ｌ２、Ｌ３に従って作成元画像Ｉ１をトリミングすると、３つのトリミング画像Ｉ１−１、Ｉ１−２、Ｉ１−３が得られる。
【００４５】
後は、図７に示すように、各トリミング画像Ｉ１−１、Ｉ１−２、Ｉ１−３を対応する合成枠Ａ１、Ａ２、Ａ３に配置してテンプレートに合成する。なお、コラージュのようにトリミング画像同士を貼り付けて新たな画像を作成することもできる。
【００４６】
このように、画像から被写体を取り出して配置することで、画像の重要な部分を用いて画像の不足を補うことができる。
【００４７】
２つ目の態様としては、作成元画像に異なる背景画やグラフィックを合成して、新しい画像を作成する。
【００４８】
例えば、図８に示すような花を被写体とする画像Ｉ２に対して、周囲に蝶が舞っているようなイラストを合成する。この結果、図９に示すような新しい画像Ｉ２−１を得る。あるいは、画像Ｉ２に対して画像周辺部分を色付けしたようなイラストを合成する。この結果、図１０に示すような新しい画像Ｉ２−２を得る。
【００４９】
あるいは、図１１に示すような人物を被写体とする画像Ｉ３に対して、人物の感情を表すようなイラスト（涙）を合成する。この結果、図１２に示すような新しい画像Ｉ３−１を得る。また、星形のイラストの合成に加え、人物の顔パーツ（目、口、鼻）の一部に加工を加えて感情を変化させる。この結果、図１３に示すような新しい画像Ｉ３−２を得る。
【００５０】
どのようなイラストを合成するかは、被写体の内容に依存する。例えば、人物被写体の顔パーツが検出されれば図１２や図１３のイラストを、顔パーツが検出されなければ図９や図１０のイラスト合成をする。ユーザが操作部２６を介して合成するイラストを指定できてもよい。
【００５１】
後は、図１４に示すように、各画像Ｉ２−１、Ｉ２−２、Ｉ３−１、Ｉ３−２を対応する合成枠Ｂ１、Ｂ２、Ｃ１、Ｃ２に配置して合成する。
【００５２】
このように、オリジナル画像をアレンジした画像を生成して簡単に画像の不足を補うことができる。
【００５３】
３つ目の態様としては、作成元画像を擬似的に３次元化し、擬似的に３次元化された画像を所望の視点から見た平面画像を作成する。平面画像から擬似的に３次元化された画像を作成する技術は公知のものが使用でき、例えばスタンフォード大学の「Make3D」を用いて作成できる。
【００５４】
例えば、図１５（ａ）のような平面的な作成元画像Ｉ４から、擬似的な３次元画像を作成する。そして、図１５（ｂ）のような当該擬似的３次元画像Ｉ４−１を正面より右側の視点から見た画像を新たな画像Ｉ４−１とし、図１５（ｃ）のような当該擬似的３次元画像Ｉ４−１を正面より左側の視点から見た画像を新たな画像Ｉ４−２とする。
【００５５】
後は、図１４に示すように、各画像Ｉ４−１、Ｉ４−２を対応する合成枠Ｄ２、Ｄ１に配置してテンプレートに合成する。
【００５６】
このように、同じ人物や風景を異なる視点から眺めた複数の画像を用いて簡単に画像の不足を補うことができ、アルバムの興趣性も高まる。
【００５７】
第４の態様としては、ある物体から別の物体へ変形する様子を表したモーフィングという手法を用い、異なる物体への変形途中の状態を示す中間画像を作成し、これを新たな画像とする。
【００５８】
例えば、図１７（ａ）のようなペットを被写体とした変形前画像Ｉ５の被写体から図１７（ｃ）のようなペットの飼い主を被写体とした変形後画像Ｉ６の被写体へのモーフィングにより、図１５（ｂ）のような中間画像Ｉ５−６を作成する。すなわち、中間画像の作成には、２つの画像を確保する必要がある。なお、中間画像は１つだけでなく複数作成できる。
【００５９】
後は、図１８に示すように、変形前画像Ｉ５、中間画像Ｉ５−６、変形後画像Ｉ６の順に、合成枠Ｅ１、Ｅ２、Ｅ３へ配置してテンプレートに合成する。
【００６０】
このように、２つの画像からモーフィングを用いて中間画像を作成し、画像の不足を補うとともに、アルバムの興趣性も高まる。
【００６１】
第５の態様としては、選別画像が元々モーションＪＰＥＧやＭＰＥＧ４のような動画の一部をキャプチャして得られたものであれば、当該選別画像と同一のシーンにある別の画像を同じ動画からキャプチャして、それを新たな画像とする。
【００６２】
例えば、図１９のような選別画像（代表画像）Ｉ７−０が、ある動画の一部のキャプチャ画像であれば、図２０に示すような、当該選別画像と同一シーンのキャプチャ画像Ｉ７−１、Ｉ７−２、Ｉ７−３を当該動画から生成する。シーンの判別の手法は公知のものが採用できる。例えば特許文献３のようなものを用いてもよい。あるいは、代表画像を中心として時間的に所定の範囲内で前後する静止画コマ（例えば代表画像の前後５秒間のコマ画像）ををキャプチャしておき、特開２００８−２２２１６号公報に示すように、代表画像と各コマ画像との色温度を比較し、両者が同一であれば同一シーン、異なれば違うシーンと判別し、同一シーンと判別されたコマ画像（図２０参照）を選別する。
【００６３】
後は、図２１に示すように、代表画像Ｉ７−０と同一シーンのコマ画像Ｉ７−１、Ｉ７−２、Ｉ７−３を、動画の再生時間軸に沿った順に、合成枠Ｆ１、Ｆ２、Ｆ３、Ｆ４へ配置して合成する。なお、図２１では見開きページに同一シーンのコマ４つが並べられているが、その他の見開きページには、別のシーンのコマを並べることもできる。
【００６４】
レイアウトの仕方は図２０のものに限らない。例えば、図２１に示すように、各コマに１ページずつ割り当て、いわゆるパラパラマンガのように配置してもよい。
【００６５】
このようにすれば、時間的に連続性がある同一シーンの画像を配置でき、見栄えもよくなる。
【００６６】
なお、画像は、少なくとも不足画像数最低数Ｎだけ作成する必要があるが、それよりも多く作成しておき、その中で所定の条件（画質、サイズ）を満たすものを不足画像最低数Ｎだけ選別し、合成枠に配置してもよい。
【００６７】
また、上記の説明では、テンプレートの合成枠に画像を配置することを想定していたが、テンプレートの合成枠は発明の実施に本質的な存在ではなく、画像１枚１枚を各ページの任意の位置に配置するようなフリーレイアウトのフォトアルバムなどであっても、本発明は適用できる。例えば、フォトアルバムの作成に必要な画像数（典型的にはアルバムページ数）Ｎよりもオリジナル画像の数が少ない場合、上記Ｓ６のように少なくともＮまで画像を生成する。どのオリジナル画像・生成画像をどのページに配置するかはユーザによる操作部２６への選択操作に委ねられる。
【符号の説明】
【００６８】
１０：フォトアルバム作成装置、１８：ＨＤＤ、３４：フォトアルバム生成部
【図１】
2012084184.tif 000003
【図２】
2012084184.tif 000004
【図３】
2012084184.tif 000005
【図４】
2012084184.tif 000006
【図５】
2012084184.tif 000007
【図６】
2012084184.tif 000008
【図７】
2012084184.tif 000009
【図８】
2012084184.tif 000010
【図９】
2012084184.tif 000011
【図１０】
2012084184.tif 000012
【図１１】
2012084184.tif 000013
【図１２】
2012084184.tif 000014
【図１３】
2012084184.tif 000015
【図１４】
2012084184.tif 000016
【図１５】
2012084184.tif 000017
【図１６】
2012084184.tif 000018
【図１７】
2012084184.tif 000019
【図１８】
2012084184.tif 000020
【図１９】
2012084184.tif 000021
【図２０】
2012084184.tif 000022
【図２１】
2012084184.tif 000023
【図２２】
2012084184.tif 000024